(57)【要約】【課題】  現物の商品に近似した美麗な外観を有して商品購入者の購買意欲を高めながら、しかも、安価に製造することができる自動販売機用商品見本を提供することを目的とする。【解決手段】  自動販売機の商品展示スペース１３に陳列される自動販売機用商品見本であって、商品表示手段１２と、該商品表示手段１２によって商品表示が施される商品見本本体１とを含み、該商品見本本体１は、自動販売機の正面側に配置される正面部分１ａと、該正面部分１ａと一体的に組み合わされて前記商品見本本体１を形成する背面部分１ｂとから構成されていることを解決手段とする。【選択図】  図３
2005107657.tif 000002
【特許請求の範囲】
【請求項１】
自動販売機の商品展示スペース（１３）に陳列される自動販売機用商品見本であって、商品表示手段（１２）と、該商品表示手段（１２）によって商品表示が施される商品見本本体（１）とを含み、該商品見本本体（１）は、自動販売機の正面側に配置される正面部分（１ａ）と、該正面部分（１ａ）と一体的に組み合わされて前記商品見本本体（１）を形成する背面部分（１ｂ）とから構成されていることを特徴とする自動販売機用商品見本。
【請求項２】
前記正面部分（１ａ）と背面部分（１ｂ）とが互いに略等しい大きさ、形状に形成されてなる請求項１に記載の自動販売機用商品見本。
【請求項３】
前記商品表示手段（１２）が熱収縮性フィルム（１２）であり、該熱収縮性フィルム（１２）により前記正面部分（１ａ）と背面部分（１ｂ）とがシュリンク包装され一体化されている請求項１または２に記載の自動販売機用商品見本。
【請求項４】
自動販売機の商品展示スペース（１３）に陳列される自動販売機用商品見本であって、商品表示手段（１２）と、該商品表示手段（１２）によって商品表示が施される商品見本本体（１）とを含み、該商品見本本体（１）は、外側に向かって略開放された非中空形状を呈する第一部分（１ａ）と、該第一部分（１ａ）と一体的に組み合わされて商品見本本体（１）を形成するとともに、外側に向かって略開放された非中空形状を呈する第二部分（１ｂ）とから構成されていることを特徴とする自動販売機用商品見本。
【発明の詳細な説明】
【技術分野】
【０００１】
本発明は、自動販売機用商品見本に関する。
【背景技術】
【０００２】
従来より、自動販売機で販売されるペットボトル入り飲料等の商品の識別を図るとともに、商品の宣伝効果を持たせるために、販売する商品と略等しい外観を有する自動販売機用商品見本を商品展示スペースに取付け、陳列している。この自動販売機用商品見本としては、種々のものが提案されており、例えば、商品がペットボトル入り飲料の場合は、より現物の商品に近似させ、リアル且つ美麗に見せて商品購入者の購買意欲を高めるため、アクリル樹脂等の透明な樹脂材料を使用して商品形態を立体的に模した中空形状（ボトル形状）の商品見本本体に商品表示を施したものが知られている。
【０００３】
この種の商品見本本体は、中空成形体の成形に適したブロー成形（インジェクションブロー）により成形されるが、ブロー成形は、複雑な外側形状とし易い代わりに内側形状の規制（公差の確保）ができない等の欠点があり、これにより材料コストが嵩む等して製造コストの上昇に繋がることがあった。
【０００４】
このような問題に対して、商品を縦半分に切断した半割形の商品見本が提案されている（特許文献１参照）。該商品見本は、外側に向かって略開放された形状（非中空形状）を呈しているため、成形コストが安価なインジェクション成形（射出成形）が使用でき、上述したブロー成形における欠点が解消されて低コストで製造することができる。
【０００５】
かかる商品見本は、その内周面または外周面に商品表示を行う商品表示紙等を配するとともに、該商品見本の背面の両端に突設された係合用突起を、自動販売機の商品展示スペースの壁面に設けられた係合用孔に係合すること等により該商品展示スペースに取付けられている。このため、自動販売機の商品表示窓を前方から覗いた状態（正面視）では、現物の商品と何ら変わらないように見える。
【特許文献１】特開平８−３０５９３９号公報
【発明の開示】
【発明が解決しようとする課題】
【０００６】
しかしながら、この商品見本を商品表示窓の側方から眺めると、該商品見本が商品を縦半分に切断した半割形である旨が商品購入者によりはっきりと視認され、それにより商品見本の美観が損なわれて購入者の購買意欲を減退させる虞がある。その一方、現物の商品に近似した中空形状とすると、前述のようにブロー成形による製造を強いられ、製造コストが上昇する。
【０００７】
本発明は、上述した問題に鑑みてなされたものであり、現物の商品に近似した美麗な外観を有して商品購入者の購買意欲を高めながら、しかも、安価に製造することができる自動販売機用商品見本を提供することを目的とする。
【課題を解決するための手段】
【０００８】
本発明に係る自動販売機用商品見本は、自動販売機の商品展示スペースに陳列される自動販売機用商品見本であって、商品表示手段と、該商品表示手段によって商品表示が施される商品見本本体とを含み、該商品見本本体は、自動販売機の正面側に配置される正面部分と、該正面部分と一体的に組み合わされて前記商品見本本体を形成する背面部分とから構成されていることを特徴とする。
【０００９】
該自動販売機用商品見本は、自動販売機の正面側に配置される正面部分と、該正面部分と一体的に組み合わされて前記商品見本本体を形成する背面部分とを含んで構成されているので、現物の商品に近似した美麗な外観を有しながら、しかも、成形コストの安価なインジェクション成形により製造し得るものとなる。
【００１０】
前記正面部分と背面部分とが互いに略等しい大きさ、形状に形成されてなることが好ましい。
【００１１】
上記好ましい構成によれば、背面部分と正面部分とを同一の金型で成形することが可能となる。
【００１２】
前記商品表示手段が熱収縮性フィルムであり、該熱収縮性フィルムにより前記正面部分と背面部分とがシュリンク包装され一体化されていることが好ましい。
【００１３】
上記好ましい構成によれば、熱収縮性フィルムによって、商品表示を行うとともに背面部分と正面部分とを一体化することができる。
【００１４】
本発明に係る自動販売機用商品見本は、自動販売機の商品展示スペースに陳列される自動販売機用商品見本であって、商品表示手段と、該商品表示手段によって商品表示が施される商品見本本体とを含み、該商品見本本体は、外側に略開放された非中空形状を呈する第一部分と、該第一部分と一体的に組み合わされて商品見本本体を構成するとともに、外側に略開放された非中空形状を呈する第二部分とから構成されていることを特徴とする。
【００１５】
該自動販売機用商品見本は、外側に略開放されている非中空形状を呈する第一部分と、該第一部分と一体的に組み合わされて商品見本本体を形成するとともに、外側に略開放されている非中空形状を呈する第二部分とを含んで構成されているので、現物の商品に近似した美麗な外観を有しながら、しかも、成形コストが安価なインジェクション成形により製造し得るものとなる。
【発明の効果】
【００１６】
以上のように、本発明に係る自動販売機用商品見本によれば、現物の商品に近似した美麗な外観を有して商品購入者の購買意欲を高めながら、しかも、安価に製造することができる。
【発明を実施するための最良の形態】
【００１７】
以下、本発明に係る自動販売機用商品見本の一実施形態について図面を参照しながら説明する。図１（ａ）は、本実施形態に係る自動販売機用商品見本本体の外観斜視図であり、図１（ｂ）は、同自動販売機用商品見本本体の分解斜視図である。該商品見本本体１は、現物の商品であるペットボトル入り飲料用と略等しい大きさ、形状を有しており、復元弾性を有するアクリル樹脂等の透明な樹脂材料により全体に略均等な肉厚に形成されている。本実施の形態の自動販売機用商品見本は、該商品見本本体１に更に熱収縮フィルムによりシュリンク包装が施され、キャップが装着されているものであるが、図１（ａ）および図１（ｂ）においては該熱収縮フィルムおよびキャップの図示を省略する。
【００１８】
前記商品見本本体１は、図１（ａ）に示すように、略垂直方向に形成された二対の相対向する面（左右一対の側面と、前後一対の前背面）と底面とからなる有底四角筒状の胴部２と、キャップが装着されるキャップ部４と、前記胴部２からキャップ部４に向けて先細りに四角錘状に形成されている括れ部３とから構成されている。
【００１９】
また、商品見本本体１は、図１（ｂ）に示すように、正面部分１ａと、該正面部分１ａの背後に配置される背面部分１ｂとから構成されており、図１（ａ）に示すように、両部分が対応する所定部位で位置合わせされ一体化することで、商品見本本体１が形成される。また、正面部分１ａと背面部分１ｂとは、互いに略等しい大きさ、形状に形成されており、それぞれ外側に向かって略開放された形状（非中空形状）を呈している。このように、該商品見本本体１は、図１（ａ）に示す一体化された状態では、閉じた空間を有する形状（中空形状〔ボトル形状〕）を呈しているが、非中空形状を呈する正面部分１ａおよび背面部分１ｂに分離することができる。
【００２０】
なお、図１（ａ）および図１（ｂ）においては、商品見本本体１は、該商品見本本体１を商品見本本体１の側面で縦半分に切断したときに出現する切断面に対応する接合面５，５で、正面部分１ａと背面部分１ｂとが互いに接触して形成されている。また、図１（ａ）に示すように、該接合面５，５が胴部２の側面に交わることにより分割線５´が形成されている。
【００２１】
また、図１（ａ）に示すように、商品見本本体１の底面には、その肉厚を貫通する矩形状の開口１０が形成されており、該開口１０の周縁且つ胴部２の側面近傍には、左右一対の係合爪８，８が下方に突設されている。また、図１（ｂ）に示すように、正面部分１ａおよび背面部分１ｂの底面には、それぞれ接合面５から陥没した凹部１１ａおよび凹部１１ｂが形成されており、図２（ａ）および図２（ｂ）に示すように、前記開口１０は、正面部分１ａおよび背面部分１ｂが一体的に組み合わされた際に該凹部１１ａおよび凹部１１ｂが連通することで形成されている。なお、ここでは、開口１０の形状を矩形状としたが、円形状又は楕円形状等の丸みを帯びた形状としても勿論良い。
【００２２】
また、図１（ｂ）および図２（ａ）に示すように、正面部分１ａの底面において、凹部１１ａの左右側縁且つ接合面５近傍には、左右一対の係合爪８ａ，８ａが下方に突設されている。そして、背面部分１ｂの底面には、正面部分１ａおよび背面部分１ｂで商品見本本体１が形成された状態で接合面５，５を基準として前記係合爪８ａ，８ａと略面対称に、左右一対の係止片８ｂ，８ｂが下方に突設されている。そして、図２（ａ）および図２（ｂ）に示すように、前記左右一対の係合爪８，８は、正面部分１ａおよび背面部分１ｂが一体的に組み合わされた際に前記係合爪８ａおよび係合爪８ｂが互いに近接して略一体化することで形成される。
【００２３】
また、図１（ｂ）に示すように、背面部分１ｂの左右一対の側面の上下両端部においては、それぞれ左右一対の係止部６，６が接合面５，５から突設されている。また、正面部分１ａの左右一対の側面における上下両端部には、それぞれ、前記係止部６，６と係合する左右一対の被係合部７，７が接合面５から凹設されている。そして、図１（ａ）に示すように、正面部分１ａおよび背面部分１ｂによって商品見本本体１が形成され、各係止部６，６と各被係合部７，７とが係合した状態で、該商品見本本体１の正面部分１ａの左右一対の側面において前記係止部６，…と被係合部７，…との間に側面の肉厚を貫通して矩形状の空気逃げ孔7ａ，…が形成されている。
【００２４】
更に、図１（ｂ）に示すように、正面部分１ａの両側面の内側において、上下の被係合部７，７の間且つ上方の被係合部７近傍には、左右一対の半楕円形状の窪み部１６ａ，１６ａが相対向して形成されている。そして、背面部分１ｂの両側面の内側には、正面部分１ａおよび背面部分１ｂが一体化されて商品見本本体１が形成された状態で接合面５，５を基準として前記窪み部１６ａ，１６ａと略面対称になるように、左右一対の窪み部１６ｂ，１６ｂが相対向して形成されている。
【００２５】
なお、前記係止部６，６と被係止部７，７を目印として、正面部分１ａと背面部分１ｂとを位置合わせすれば、商品見本本体１をより容易に形成することができる。また、前記窪み部１６ａ，１６ａと窪み部１６ｂ，１６ｂは、前述したように接合面５，５を基準として略面対称に位置させる必要は必ずしもなく、また、本実施の形態の商品見本の如く商品見本本体１に熱収縮性フィルムを用いてシュリンク包装を施す場合は、商品見本本体１には、空気逃げ孔７ａ，…および窪み部１６ａ，１６ｂ…は、必ずしも設ける必要はない。
【００２６】
本実施形態の自動販売機用商品見本は、以上の構成からなる商品見本本体１と、熱収縮性フィルムと、キャップとを含み、該熱収縮性フィルムにより商品見本本体１にシュリンク包装が施され、キャップ部４（図１（ａ）参照）にキャップが装着されて構成されるものである。次に、本実施形態の自動販売機用商品見本が陳列される商品展示スペースについて説明する。該商品展示スペース１３は、図３に示すように、自動販売機の商品表示窓に沿って付設され、商品見本が取付けられる床面１４と、該床面１４に対して略垂直方向に立設された壁面１５とから構成されている。床面１４には、商品見本本体１の底面の左右一対の係合爪８，８が係脱される被係合部１６，１６を有する略矩形状の光透過穴９が所定間隔を置いて貫通されている。この光透過穴９は、前記商品見本本体１の底面に形成された開口１０と略連通するように形成されており、照明手段を用いて下方から照明光を光透過穴９を通して透過させると、該開口１０を光が通って前記商品見本が内部から明るく照らし出されるようになる。したがって、かかる光の透過率を高める観点からは、開口１０の形状および大きさと光透過穴９の形状および大きさとは、図３に示すように略一致していることが好ましい。なお、図３において、商品展示スペース１３の手前側が自動販売機の正面側（自動販売機の商品表示窓側）に対応し、その反対側が自動販売機の背面側に対応する。
【００２７】
続いて、商品展示スペース１３に本実施形態の自動販売機用商品見本を陳列する方法について説明する。なお、図３では、商品見本本体１には、商品表示を行う熱収縮性フィルム１２によりシュリンク包装が施されており、これにより、正面部分１ａと背面部分１ｂとが緊締されて一体的に組み合わされている。
【００２８】
即ち、まず、図３および図４（ａ）に示すように、商品見本本体１の正面部分１ａが自動販売機の正面側に配置され、且つ、背面部分１ｂが自動販売機の背面側に配置された状態で、商品見本の底面の左右一対の係合爪８，８を、商品展示スペース１３の床面１４の光透過穴９の被係合部１６，１６に位置合わせする。
【００２９】
そして、図４（ｂ）に示すように、係合爪８，８の外側面の下部に形成されたテーパー部分８ａ，８ａを被係合部１６，１６の左右側縁９ａ，９ｂに当接させ、商品見本を下方に押すことにより、係合爪８，８は、変形して互いの離間距離を狭めつつ前記左右側縁９ａ，９ｂがテーパー部分８ａ，８ａに沿ってスライドして、光透過孔９に係入される。このとき、前記被係合部１６，１６の左右側縁９ａ，９ｂがテーパー部分８a，８aと商品見本の底面との間に形成される係合凹部８ｂ，８ｂに係合する。これにより、商品見本は床面１４に対して起立した状態で固定され、商品展示スペース１３への陳列が完了する。なお、このとき、商品見本の側面に形成される分割線５´は、図３に示すように、自動販売機の左右側面側に配されるので、正面視では目立ちにくい状態となる。
【００３０】
また、この自動販売機用商品見本を商品展示スペース１３から取り外すには、商品見本の底面の左右一対の係合爪８，８を指等で挟持してそれらの間の離間距離を狭めて、該係合爪８，８の光透過孔９への係入を解除しつつ、商品見本を上方に持ち上げればよい。
【００３１】
このように、本実施形態の自動販売機用商品見本は、ほぼ現物の商品に近似した形態で、自動販売機の商品展示スペース１３に陳列されるので、美麗な外観を有して商品購入者の購買意欲を高めることが可能となる。
【００３２】
また、商品見本本体１の正面部分１ａが自動販売機の正面側に配置され、且つ、背面部分１ｂが自動販売機の背面側に配置されるので、商品見本の側面の分割線５´は、自動販売機の左右側面側に配されるようになり、正面視では視認が困難となって、商品見本の美観を損ねることがない。
【００３３】
また、本実施形態の自動販売機用商品見本は、その底面の左右一対の係止爪８，８を、商品展示スペース１３の床面１４の光透過孔９に係脱させることにより、極めて容易に商品展示スペース１３への陳列と取り外しが行える。これにより、販売する商品の変更等があった場合に、それに対応する商品見本を迅速に入れ替えることが可能となる。
【００３４】
更に、商品見本本体１は、正面部分１ａと、該正面部分１ａと一体的に組み合わされて商品見本本体１を形成する背面部分１ｂとから構成されており、それぞれの部分は、外側に向かって略開放された非中空形状を呈しているので、成形コストの安価なインジェクション成形により成形することができる。
【００３５】
また、筒状に形成された熱収縮性フィルム１２を商品見本本体１に環装し、その後熱処理することにより商品見本本体１にシュリンク包装が施されているので、互いに独立した部分である正面部分１ａと背面部分１ｂとからなる商品見本本体１を各部分に分離することによって、該熱収縮性フィルム１２を容易に開裂することができて廃棄・リサイクル時に該フィルム部分と商品見本本体１との分別が容易化される利点も有する。
【００３６】
尚、上記実施形態は上述した構成を採用することで叙上の利点を有したが、本発明はこれに限定されるものではなく本発明の意図する範囲において適宜設計変更が可能である。
【００３７】
上記実施形態では、自動販売機用商品見本をペットボトル入り飲料に模した形態としたが、本発明に係る自動販売機用商品見本は、これに限定されず、その他の飲料、例えば、瓶や缶入り飲料に模した形態とすることもできるし、紙パック入り飲料に模した形態とすることもできる。
【００３８】
また、商品表示手段として商品表示を行う熱収縮性フィルム１２を用い、該熱収縮性フィルム１２により正面部分１ａと背面部分１ｂとをシュリンク包装して一体化したが、正面部分１ａおよび背面部分１ｂをそれぞれ商品表示を行う熱収縮性フィルムによりシュリンク包装した後、両部分を一体的に組み合わせて商品見本を形成することも可能であり、商品形態を模したカバー材等で商品見本本体１を覆うことによっても商品表示を行うことができる。
【００３９】
また、商品表示手段として商品表示を行う紙（商品表示紙）やフィルム（商品表示フィルム）〔以下、商品表示紙等という。〕を用いることも可能である。この場合は、商品見本本体１の正面部分１ａの左右一対の側面の内側における上下両端部且つ接合面５の近傍に、商品表示紙等を係止するための左右一対の係止片６ａ，６ａを相対向して突設させるとともに、背面部分１ｂの左右一対の側面の内側に、正面部分１ａおよび背面部分１ｂで商品見本本体１が形成された状態において接合面５，５を基準として前記係止片６ａ，６ａと略面対称に、左右一対の係止片６ｂ，６ｂを相対向して突設させ、該係止片６ａ，６ｂを掛止部として使用して正面部分１ａおよび背面部分１ｂの内面にそれぞれ商品表示紙等を取付けた後、両部分を一体的に組み合わせることで商品見本を形成することができ、これにより、商品表示が容易化される。更にこの場合、上記実施形態の商品見本本体１の如く、正面部分１ａまたは背面部分１ｂの左右一対の側面に空気逃げ孔７ａ，…が形成されていると、商品表示紙等と正面部分１ａまたは背面部分１ｂの内面との間に溜まる空気が空気逃げ孔７ａ，…から排除され、より確実に係止片６ａ，６ｂ，…に商品表示紙等を係止することができる。一方、窪み部１６ａ，１６ｂ，…に位置する商品表示紙等を押圧することによって、商品表示紙等の取り外しも容易に行うことができる。なお、上記実施形態の商品見本本体１では、空気逃げ孔７ａは、正面部分１ａにのみが形成されているので、正面部分１ａに商品表示紙等を取付ける場合にのみ空気逃げ孔７ａによる空気の排除効果が得られる。
【００４０】
また、上記実施形態では、正面部分１ａおよび背面部分１ｂを熱収縮性フィルム１２を用いたシュリンク包装により一体化して商品見本本体１を形成したが、正面部分１ａおよび背面部分１ｂの対応する位置にそれぞれ形成した凸部と該凸部と嵌脱自在に嵌合する凹部を用いて正面部分１ａおよび背面部分１ｂを一体化しても構わない。但し、熱収縮性フィルム１２を用いれば、該熱収縮性フィルム１２によって商品表示を行うとともに正面部分１ａと背面部分１ｂとをシュリンク包装で一体化することが可能となるので、商品見本の製造が容易且つ安価に行えるようになり、好ましい。
【００４１】
また、上記実施形態では、自動販売機用商品見本本体１を、現物の商品と略等しい大きさ、形状としたが、商品購入者が現物の商品を明確に認識できる限り、その形状は何ら限定されるものではなく、例えば、相似形とすることも可能である。また、正面部分１ａと背面部分１ｂとを互いに略等しい大きさ、形状に形成したが、両部分を一体的に組み合わせて商品見本本体１が形成されるものであれば、互いに異なる形状に形成してもよい。但し、正面部分１ａと背面部分１ｂとが互いに略等しい大きさ、形状の場合は、該正面部分１ａと背面部分１ｂとを同一の金型で成形することが可能となり、成形金型に要するコストを低減することができるため、好ましい。
【００４２】
また、該商品見本本体１を、アクリル樹脂等の透明な樹脂材料により形成したが、その他の材質、例えば、ポリエチレン、ポリプロピレン、ＡＢＳ樹脂等を用いて形成することもできるし、半透明または不透明な材料で形成することもできる。
【００４３】
また、該商品見本本体１の底面に設けた各係合爪８がテーパー部分８ａおよび係合凹部８bを具備することは必須ではなく、左右一対の係合爪８，８が光透過孔９と係脱自在に形成されていれば良く、それら部位の具体的形状等は何ら限定されるものではない。また、該係合爪８，８を設ける必要も必ずしもなく、例えば、商品展示スペース１３の壁面１５に商品見本が外嵌着されるリング状部材を設け、該リング状部材で商品見本を商品展示スペース１３に着脱自在に取付けてもよい。
【００４４】
更に、該商品見本本体１は、自動販売機の正面側に配置される正面部分１ａと、該正面部分１ａの背後に配置される背面部分１ｂとから構成され、両部分が一体的に組み合わされて形成されているが、その代わりに、例えば、自動販売機に正対して左側に配置される左方部分と、右側に配置される右方部分とから構成され、両部分が一体的に組み合わされて形成されていてもよいし、胴部２の一つの対角面で切断された二つの部分から構成され、両部分が一体的に組み合わされて形成されていてもよい。要するに、該商品見本本体１が、外側に略開放されている非中空形状を呈する第一部分および第二部分とが一体的に組み合わされて形成されていればよく、商品見本本体１は、前記第一部分および第二部分のいずれにも属さないその他の部分をさらに含んで形成されていてもよい。
【図面の簡単な説明】
【００４５】
【図１】図１（ａ）は、本発明の一実施形態に係る自動販売機用商品見本本体の外観斜視図であり、図１（ｂ）は、同商品見本本体の分解斜視図である。
【図２】図２（ａ）は、図１（ｂ）の底面図であり、図２（ｂ）は、図１（ａ）の底面図である。
【図３】図３は、本発明の一実施形態に係る商品見本が自動販売機の商品展示スペースに陳列される状態を示す斜視図である。
【図４】図４（ａ）は、同商品見本が、商品展示スペースに取付けられる態様を示す側面図であり、図４（ｂ）は、同商品見本が、商品展示スペースに取付けられた状態を示す側面図である。
【符号の説明】
【００４６】
１…商品見本本体、１ａ…正面部分（第一部分）、１ｂ…背面部分（第二部分）、１２…熱収縮性フィルム（商品表示手段）、１３…商品展示スペース
【図１】
2005107657.tif 000003
【図２】
2005107657.tif 000004
【図３】
2005107657.tif 000005
【図４】
2005107657.tif 000006